(57)【要約】【課題】  弁ディスクに偏磨耗を生じることがなく、長寿命なディスク式スチームトラップを提供する。【解決手段】  入口４と出口５を有する本体１に蓋体２を固着して内部に変圧室３を形成する。変圧室３の中心に開口する噴出孔６を設けて入口４と変圧室３を連通し、噴出孔６の外周囲に開口する環状溝８を設ける。噴出孔６と環状溝８の間に内輪弁座９を形成すると共に、環状溝８の外周囲に外輪弁座１０を形成し、環状溝８から排出孔７を設けて変圧室３と出口５を連通する。内輪弁座９と外輪弁座１０に離着座する円板状の弁ディスク１１を変圧室３に配置する。弁ディスク１１の下部に案内棒１２を取り付け、その外周にガイド部材１３を取り付ける。  弁ディスク１１が開閉弁する場合に、ガイド部材１３でガイドされることで、弁ディスク１１の傾斜を防止して、偏磨耗を生じることがない。【選択図】図１
2012107653.tif 000002
【特許請求の範囲】
【請求項１】
入口と出口を有する本体に蓋体を固着して内部に変圧室を形成し、変圧室の中心に開口する噴出孔を設けて入口と変圧室を連通し、噴出孔の外周囲に開口する環状溝を設けて、噴出孔と環状溝の間に内輪弁座を形成すると共に、環状溝の外周囲に外輪弁座を形成し、環状溝から排出孔を設けて変圧室と出口を連通し、内輪弁座と外輪弁座に離着座する円板状の弁ディスクを変圧室に配置したものにおいて、弁ディスクの下面に案内棒を、弁ディスクと一体に取付けて、当該案内棒の上下方向の動きをガイドするガイド部材を案内棒の外周に設けて、当該ガイド部材と案内棒を噴出孔に配置したことを特徴とするディスク式スチームトラップ。
【発明の詳細な説明】
【技術分野】
【０００１】
本発明は、変圧室の圧力変化に応じて弁ディスクが開閉弁することにより、蒸気配管系に発生する蒸気の凝縮水としての復水を自動的に外部へ排出するディスク式スチームトラップに関する。
【背景技術】
【０００２】
従来のディスク式スチームトラップは、例えば特許文献１に開示されている。これは、入口と出口を有する本体に蓋体を固着して内部に変圧室を形成し、変圧室の中心に開口する噴出孔を設けて入口と変圧室を連通し、噴出孔の外周囲に開口する環状溝を設けて、噴出孔と環状溝の間に内輪弁座を形成すると共に、環状溝の外周囲に外輪弁座を形成し、環状溝から排出孔を設けて変圧室と出口を連通し、内輪弁座と外輪弁座に離着座する円板状の弁ディスクを変圧室に配置したものにおいて、噴出孔に噴出孔の外周壁を摺動するシールリングを配置し、シールリングを弁ディスク方向に付勢する弾性部材を設けたものであり、閉弁時に弁ディスクが上に凸状に湾曲しても、シールリングが噴出孔の外周壁を摺動することにより、弁ディスクが外輪弁座とシールリングに密着でき、変圧室の圧力が所定の開弁圧力に低下してから弁ディスクが外輪弁座とシールリングから離座して開弁するものである。
【先行技術文献】
【特許文献】
【０００３】
【特許文献１】特開２００３−２８３８８号公報
【発明の概要】
【発明が解決しようとする課題】
【０００４】
上記従来のディスク式スチームトラップは、弁ディスクが開閉弁する際に、水平な状態を維持したまま開閉弁することができず、弁ディスクが傾斜した状態で弁座から離着座してしまうために、弁ディスク下面が偏磨耗してトラップとしての寿命が短くなってしまう問題点があった。
【０００５】
従って、本発明が解決しようとする課題は、弁ディスクに偏磨耗を生じることがなく、長寿命なディスク式スチームトラップを提供することである。
【課題を解決するための手段】
【０００６】
上記の課題を解決するために、本発明のディスク式スチームトラップは、入口と出口を有する本体に蓋体を固着して内部に変圧室を形成し、変圧室の中心に開口する噴出孔を設けて入口と変圧室を連通し、噴出孔の外周囲に開口する環状溝を設けて、噴出孔と環状溝の間に内輪弁座を形成すると共に、環状溝の外周囲に外輪弁座を形成し、環状溝から排出孔を設けて変圧室と出口を連通し、内輪弁座と外輪弁座に離着座する円板状の弁ディスクを変圧室に配置したものにおいて、弁ディスクの下面に案内棒を、弁ディスクと一体に取付けて、当該案内棒の上下方向の動きをガイドするガイド部材を案内棒の外周に設けて、当該ガイド部材と案内棒を噴出孔に配置したものである。
【発明の効果】
【０００７】
本発明によれば、弁ディスクの下面に案内棒を弁ディスクと一体に取付けて、この案内棒の上下方向の動きをガイドするガイド部材を案内棒の外周に設けたことにより、弁ディスクが開閉弁する場合に、案内棒がガイド部材でガイドされてディスク弁が傾斜することが防止され、弁ディスクは水平な状態で弁座に離着座することができ、弁ディスクの偏磨耗を防止して長寿命なトラップとすることができるという優れた効果を奏する。
【図面の簡単な説明】
【０００８】
【図１】本発明の実施の形態に係わるディスク式スチームトラップの断面図である。
【発明を実施するための形態】
【０００９】
以下、本発明の実施の形態について、図１を参照して説明する。本体１に蓋体２をねじ結合して内部に変圧室３を形成する。本体１に入口４と出口５をほぼ同一軸上に形成する。本体１に変圧室３の中心に開口する噴出孔６を開け、この噴出孔６を介して入口４と変圧室３を連通する。噴出孔６の外周囲に環状溝８を設けて、噴出孔６と環状溝８の間に環状の内輪弁座９を形成し、環状溝８の外周囲に内輪弁座９と同心円状の環状の外輪弁座１０を形成する。環状溝８の下端を排出孔７を介して出口５に連通する。内輪弁座９と外輪弁座１０に離着座して開閉弁を行う円板状の弁ディスク１１を変圧室３内に配置する。
【００１０】
弁ディスク１１の下面に案内棒１２を弁ディスク１１と一体に取り付ける。従って、弁ディスク１１が上下動すれば、案内棒１２も同じく上下動するものである。案内棒１２の外周にガイド部材１３に取り付ける。ガイド部材１３は、中心部に案内棒１２が上下に摺動できるだけの孔を設けると共に、ガイド部材１３の外周と本体１との間を、穴用と軸用が一体となった上下の止め輪１４で本体１に固定する。
【００１１】
上記のディスク式スチームトラップの作動を説明する。変圧室３内に蒸気が滞留していない場合は、噴出孔６を介して弁ディスク１１に作用する入口４側の流体圧力により、弁ディスク１１は内輪弁座９と外輪弁座１０から離座して、入口４からの低温復水を環状溝８と排出孔７を介して出口５へ排出する。
【００１２】
復水が排出されて変圧室３内に蒸気が流入してくると、変圧室３内の圧力が上昇すると共に、弁ディスク１１下面を高速の蒸気が流下して静圧低下を来たすことによって、弁ディスク１１は内輪弁座９と外輪弁座１０に着座して閉弁する。変圧室３内の蒸気が放熱等により凝縮しその蒸気圧力が低下してくると、弁ディスク１１が内輪弁座９と外輪弁座１０から離座して開弁する。以上のような開閉弁のサイクルを繰り返す場合において、弁ディスク１１が上下方向へ移動する時に、弁ディスク１１と一体に取り付けた案内棒１２が、ガイド部材１３でガイドされることによって、弁ディスク１１が傾斜することがなく、水平状態を維持することで、弁ディスク１１の内外輪弁座９，１０への着座面が偏磨耗することがない。
【産業上の利用可能性】
【００１３】
本発明は、蒸気配管系に発生する復水を自動的に排出するディスク式スチームトラップに利用することができる。
【符号の説明】
【００１４】
１ 本体
２ 蓋体
３ 変圧室
４ 入口
５ 出口
６ 噴出孔
７ 排出孔
８ 環状溝
９ 内輪弁座
１０ 外輪弁座
１１ 弁ディスク
１２ 案内棒
１３ ガイド部材
１４  止め輪
【図１】
2012107653.tif 000003